(57)【要約】【課題】ディスクの誤挿入を確実に防止することができ、装置本体の薄型化にも好適な「ディスク装置」を提供する。【解決手段】誤挿入防止機構６は、前面板１ａの離反位置に回転可能に支持された誤挿入防止レバー１７および連結レバー２０と、連結レバー２０を回動操作するローラブラケット１０を備えており、誤挿入防止レバー１７と連結レバー２０は一方側に設けたカム孔１９に他方側に設けたピン２２を係合することで連結されている。誤挿入防止レバー１７が閉鎖位置でディスク挿入口５の中央部を塞いだ状態にあるとき、２枚目のディスクがディスク挿入口５の中央部に対して誤挿入防止レバー１７の回動支点側に偏った位置から無理に挿入されても、ピン２２とカム孔１９の係合によって誤挿入防止レバー１７の開放方向への回転を拘束して該ディスクの誤挿入を防止する。【選択図】図５
2016162471.tif 000002
【特許請求の範囲】
【請求項１】
装置本体の前面板にディスク挿入口が設けられ、前記ディスク挿入口から挿入されたディスクを搬送機構によって前記装置本体の内部に自動搬送するディスク装置において、
前記前面板に回転可能に支持された誤挿入防止レバーと、前記前面板に回転可能に支持されて前記誤挿入防止レバーを開放位置と閉鎖位置との間で回転駆動する連結レバーと、この連結レバーを初期位置と動作位置との間で回動操作する駆動部材とを備え、
前記誤挿入防止レバーと前記連結レバーの回動支点が前記ディスク挿入口の中央部を挟んだ離反位置に設定されていると共に、前記誤挿入防止レバーと前記連結レバーはいずれか一方側に設けたピンを他方側に設けたカム孔に係合することによって連結されており、
前記誤挿入防止レバーが開放位置にあるときに前記ディスク挿入口を開放してディスクの挿入を許可するようになし、
前記誤挿入防止レバーが閉鎖位置にあるときに、この誤挿入防止レバーによって前記ディスク挿入口の一部を塞いでディスクの挿入を阻止すると共に、前記ピンと前記カム孔の相対位置によって前記誤挿入防止レバーの開放方向への回転が拘束されるようにしたことを特徴とするディスク装置。
【請求項２】
請求項１の記載において、前記連結レバーは弾性部材のばね力によって動作位置に向けて付勢されていることを特徴とするディスク装置。
【請求項３】
請求項２の記載において、前記駆動部材と前記連結レバーとの間にばね部材が介設されており、前記駆動部材が前記ばね部材を介して前記連結レバーを回動操作することを特徴とするディスク装置。
【発明の詳細な説明】
【技術分野】
【０００１】
本発明は、ディスク挿入口から挿入されたディスクをローラで保持しながら搬送するようにしたスロットイン方式のディスク装置に係り、特に、１枚のディスクが装置内に挿入されているときに別のディスクの挿入を防止するようにした誤挿入防止機構に関するものである。
【背景技術】
【０００２】
一般的に車載用のディスク装置では、装置本体の前方を覆う前面板にスリット状のディスク挿入口が形成されているため、所望のディスクが装置本体内に既に挿入されているときに、誤って別のディスクがディスク挿入口から挿入される虞がある。そこで従来より、長尺板形状の誤挿入防止レバーを前面板に回転可能に支持し、１枚目のディスクがディスク挿入口から装置本体内に挿入されたとき、ローラブラケット等の駆動部材によって誤挿入防止レバーを回動操作してディスク挿入口の一部を塞ぐことにより、別のディスクが装置内に挿入されることを阻止するようにした誤挿入防止機構が知られている（例えば、特許文献１参照）。
【０００３】
特許文献１に開示されたディスク装置の誤挿入防止機構では、誤挿入防止レバーの回動支点から最も離れた先端側にディスクの上面側と係止可能な突起を形成し、２枚目のディスクがディスク挿入口の中央部に対して誤挿入防止レバーの回動支点側に偏った位置から無理に挿入されたとき、このディスクの外周縁を誤挿入防止レバーの先端部に当接させた状態で該ディスクの上面側を突起に係止させることにより、誤挿入防止レバーの開放方向への動きを規制して２枚目のディスクの誤挿入を防止するようにしている。
【先行技術文献】
【特許文献】
【０００４】
【特許文献１】特開２００８−２６２６３９号公報
【発明の概要】
【発明が解決しようとする課題】
【０００５】
しかしながら、前述した従来の誤挿入防止機構においては、２枚目のディスクがディスク挿入口の中央部に対して偏った位置から挿入されたとき、突起とディスクの上面側との間に生じる係止力で誤挿入防止レバーの開放方向への動きを規制するようになっているため、突起をディスクの上面側に係止できずに誤挿入防止レバーが開放されてしまう場合があり、ディスクの誤挿入を確実に防止することができないという問題があった。
【０００６】
なお、幅方向に大型化された誤挿入防止レバーを用いれば、ディスク挿入口の中央部の広い範囲を誤挿入防止レバーによって塞ぐことができるため、上記したような突起を形成しなくてもディスクの誤挿入を確実に防止することが可能になる。ただし、その場合、ディスクが装置本体に挿入されていない待機状態（イジェクト時）において、大型化された誤挿入防止レバーをディスク挿入口の下方位置に退避させる必要があるため、装置本体の高さ寸法（厚み）を大きくせざるを得ないという別の問題が発生する。
【０００７】
本発明は、このような従来技術の実情に鑑みてなされたもので、その目的は、ディスクの誤挿入を確実に防止することができ、装置本体の薄型化にも好適なディスク装置を提供することにある。
【課題を解決するための手段】
【０００８】
上記の目的を達成するために、本発明のディスク装置は、装置本体の前面板にディスク挿入口が設けられ、前記ディスク挿入口から挿入されたディスクを搬送機構によって前記装置本体の内部に自動搬送するディスク装置において、前記前面板に回転可能に支持された誤挿入防止レバーと、前記前面板に回転可能に支持されて前記誤挿入防止レバーを開放位置と閉鎖位置との間で回転駆動する連結レバーと、この連結レバーを初期位置と動作位置との間で回動操作する駆動部材とを備え、前記誤挿入防止レバーと前記連結レバーの回動支点が前記ディスク挿入口の中央部を挟んだ離反位置に設定されていると共に、前記誤挿入防止レバーと前記連結レバーはいずれか一方側に設けたピンを他方側に設けたカム孔に係合することによって連結されており、前記誤挿入防止レバーが開放位置にあるときに前記ディスク挿入口を開放してディスクの挿入を許可するようになし、前記誤挿入防止レバーが閉鎖位置にあるときに、この誤挿入防止レバーによって前記ディスク挿入口の一部を塞いでディスクの挿入を阻止すると共に、前記ピンと前記カム孔の相対位置によって前記誤挿入防止レバーの開放方向への回転が拘束されるように構成した。
【０００９】
このように構成されたディスク装置では、任意のディスクが装置本体内に装填されているとき、連結レバーは初期位置から回動して動作位置へと移動しており、この連結レバーの回転運動がピンとカム孔の係合部分を介して誤挿入防止レバーに伝達されることにより、誤挿入防止レバーは開放位置から閉鎖位置へと回転駆動されてディスク挿入口の一部を塞いだ状態となる。この状態で２枚目のディスクがディスク挿入口の中央部に対して誤挿入防止レバーの回動支点側に偏った位置から無理に挿入されると、ディスクが誤挿入防止レバーを開放方向へ回転させようとする外力は、ピンがカム孔の内周面に当接することによって受け止められるため、誤挿入防止レバーの回転が拘束されてディスクをそれ以上挿入することができなくなる。なお、かかる誤挿入防止レバーの拘束状態は連結レバーが動作位置で停止していれば維持されるが、連結レバーが駆動部材によって動作位置から初期位置に戻る方向へ回動操作されると、その移動途中で誤挿入防止レバーの拘束状態は解除される。
【００１０】
上記の構成において、連結レバーが弾性部材のばね力によって動作位置に向けて付勢されていると、駆動部材から連結レバーに操作力が作用しない不感帯領域を設定しても、連結レバーを弾性部材のばね力によって動作位置へ確実に移動することができる。
【００１１】
この場合において、駆動部材と連結レバーとの間にばね部材が介設されており、駆動部材がばね部材を介して連結レバーを回動操作するようにすると、誤挿入防止レバーが開放位置にあるイジェクト状態において、ばね部材の弾発力によって連結レバーを初期位置にガタつくことなく安定的に保持できるため、ラットルノイズと呼ばれる異音の発生を抑制することができる。
【発明の効果】
【００１２】
本発明のディスク装置によれば、ディスクの誤挿入を確実に防止することができると共に、装置本体の薄型化を図ることができる。
【図面の簡単な説明】
【００１３】
【図１】実施形態例に係るディスク装置の斜視図である。
【図２】該ディスク装置のイジェクト状態を示す断面図である。
【図３】該ディスク装置のプレイ状態を示す断面図である。
【図４】該ディスク装置に備えられる誤挿入防止機構の開放状態を示す正面図である。
【図５】該誤挿入防止機構の閉鎖状態を示す正面図である。
【図６】該誤挿入防止機構の動作説明図である。
【発明を実施するための形態】
【００１４】
発明の実施の形態について図面を参照して説明すると、図１〜図３に示すように、本実施形態例に係る車載用のディスク装置は、装置本体の外殻を形成する箱状の筐体１と、この筐体１の内部に収納されたドライブユニット２を備えており、ドライブユニット２はダンパー３とスプリング４とを組み合わせた複数組の弾性部材によって筐体１に水平な姿勢で弾性支持されている。
【００１５】
筐体１は上面を開放した金属板を立方体形状に折曲加工したものからなり、その前面に起立する前面板１ａの上端部にはディスクを筐体１に対して挿入／排出するための横長形状のディスク挿入口５が形成されている。詳細については後述するが、前面板１ａの裏側に誤挿入防止機構６が配置されており、この誤挿入防止機構６によってディスク挿入口５の中央部が選択的に塞がれるようになっている。筐体１の上面には金属製のトップシャーシ７が固定されており、このトップシャーシ７の前方側の下面に合成樹脂製のガイドトップ８が一体化されている。このガイドトップ８はディスク挿入口５の上部後方に位置しており、これらトップシャーシ７とガイドトップ８の下方にディスク搬送空間が画成されている。
【００１６】
ドライブユニット２は駆動ベース９を有しており、この駆動ベース９の前端部にはローラブラケット１０が回動可能に軸支されている。ローラブラケット１０には一対のロック爪１０ａ，１０ｂが形成されており、一方のロック爪１０ａはトップシャーシ７と係脱可能であり、他方のロック爪１０ｂは筐体１の内底面と係脱可能になっている。また、ローラブラケット１０にはゴム製のローラ１１が回転可能に支持されており、このローラ１１は図示せぬモータの駆動力によって正逆両方向へ回転駆動されるようになっている。ローラブラケット１０はスプリング１２（図１参照）の弾性力によってローラ１１をガイドトップ８の下面に近接させる方向へ付勢されており、ローラブラケット１０に設けられたピン１０ｃは駆動ベース９に回動可能に軸支された伝達部材１３の溝部と係合している。そして、この伝達部材１３が後述するスライド部材の前後進移動に伴って回転駆動されると、ローラブラケット１０がスプリング１２の弾性力に抗して回動し、それに伴ってローラ１１がガイドトップ８の下面から離反する方向へ移動するようになっている。なお、ローラブラケット１０は、ドライブユニット２を筐体１に対してロックまたはアンロック状態に切り換えるロック部材と、後述する誤挿入防止機構６を動作させる駆動部材とを兼用しており、これらローラブラケット１０とローラ１１およびガイドトップ８等によってディスク搬送機構が構成されている。
【００１７】
駆動ベース９の後端部にはクランプアーム１４が上下方向へ回動可能に軸支されており、このクランプアーム１４の中央部手前側にはクランパ１５が回転可能に支持されている。図示されていないが、駆動ベース９にはスピンドルモータや光ピックアップ等が搭載されており、スピンドルモータの回転軸にはクランパ１５の下面に対向するターンテーブルが固着されている。なお、クランプアーム１４は図示せぬスプリングの弾性力によってクランパ１５をターンテーブルに近接させる方向へ付勢されており、これらクランプアーム１４と光ピックアップおよびターンテーブル等によってドライブ機構が構成されている。
【００１８】
また、駆動ベース９の左右両側部には合成樹脂製のスライド部材１６が配設されており、これら両スライド部材１６は駆動ベース９の前後方向に移動可能に支持されている。両スライド部材１６は駆動ベース９に配置されたリンク機構（図示せず）を介して連結されており、図示せぬモータを駆動源として一方のスライド部材１６が前後進すると、その動きに同期して他方のスライド部材１６も前後進するようになっている。スライド部材１６の前端部は伝達部材１３と接離可能に対向しており、スライド部材１６の中央付近にはクランプアーム１４の前端部下面と接離可能な押上カム部１６ａが形成されている。
【００１９】
図４と図５に示すように、前面板１ａの裏側に誤挿入防止レバー１７が第１軸１８を回動支点として回転可能に支持されており、この誤挿入防止レバー１７は図４に示す開放位置と図５に示す閉鎖位置との間を回動可能となっている。誤挿入防止レバー１７の回動支点から最も離れた先端側は阻止部１７ａとなっており、図５に示すように、この阻止部１７ａがディスク挿入口５の中央部左側領域を塞ぐことによってディスクの挿入が阻止される。誤挿入防止レバー１７の中央部にはカム孔１９が形成されており、このカム孔１９は２つのスリットが鈍角に連続するＶ字形状となっている。
【００２０】
また、前面板１ａの裏側に連結レバー２０が第２軸２１を回動支点として回転可能に支持されており、この連結レバー２０は図４に示す初期位置と図５に示す動作位置との間を回動可能となっている。前述した誤挿入防止レバー１７を支持する第１軸１８はディスク挿入口５の中央部よりも左側に位置しているが、この連結レバー２０を支持する第２軸２１はディスク挿入口５の中央部よりも右側に位置しており、誤挿入防止レバー１７と連結レバー２０の回動支点はディスク挿入口５の中央部を挟んだ離反位置に設定されている。連結レバー２０の回動支点から最も離れた先端側にはピン２２が設けられており、このピン２２は誤挿入防止レバー１７のカム孔１９に挿入されている。また、連結レバー２０の回動支点の近傍には第１突部２０ａと第２突部２０ｂが形成されており、弾性部材である引張りコイルばね２３の両端を第１突部２０ａと前面板１ａに掛止めすることにより、連結レバー２０は常に動作位置に向けて（図４，５の時計方向）付勢されている。
【００２１】
第２軸２１の近傍の前面板１ａにはトーションばね２４の巻回部分が掛止めされており、トーションばね２４の一方のアーム部２４ａは連結レバー２０の第２突部２０ｂに掛止めされている。トーションばね２４の他方のアーム部２４ｂはローラブラケット１０（駆動部材）と接離可能に対向しており、ローラブラケット１０が他方のアーム部２４ｂを押し下げて一方のアーム部２４ａに上向きの付勢力を付与すると、この付勢力が第２突部２０ｂを介して連結レバー２０に伝達されることにより、連結レバー２０が引張りコイルばね２３のばね力に抗して初期位置の方向へ付勢されるようになっている。
【００２２】
したがって、図４に示すように、ローラブラケット１０からの押圧力がトーションばね２４を介して連結レバー２０に伝達され、この押圧力によって連結レバー２０が同図の反時計方向に付勢されている場合、連結レバー２０は引張りコイルばね２３のばね力に抗して初期位置で停止している。このとき、連結レバー２０の先端側に設けられたピン２２はカム孔１９の屈曲部分と係合しているため、誤挿入防止レバー１７は開放位置に保持されている。
【００２３】
一方、ローラブラケット１０がトーションばね２４のアーム部２４ｂから離反すると、ローラブラケット１０の押圧力が連結レバー２０に伝達されなくなるため、図５に示すように、連結レバー２０は引張りコイルばね２３のばね力により時計方向へ回動して動作位置で停止している。このとき、ピン２２はカム孔１９内を移動して一方のスリットの端部と係合しているため、誤挿入防止レバー１７は同図の反時計方向に回動して閉鎖位置に保持されている。なお、これら誤挿入防止レバー１７、連結レバー２０、引張りコイルばね２３、トーションばね２４、ローラブラケット１０等によって誤挿入防止機構６が構成されている。
【００２４】
次に、上述のごとく構成されたディスク装置の動作について、図６に示す誤挿入防止機構６の動作説明図を参照しつつ説明する。
【００２５】
図２に示すように、ディスクが装置本体に挿入されていないイジェクト時（待機状態）において、両スライド部材１６は駆動ベース９の奥側の後退位置にあり、クランプアーム１４は押上カム部１６ａに当接して上方へ回動しているため、クランパ１５とターンテーブルとの間にディスクを挿入可能な空間が確保されている。また、ローラブラケット１０を駆動する伝達部材１３がスライド部材１６から離反しているため、ローラブラケット１０はローラ１１を支持した後端側が上昇した前傾姿勢となっており、ローラ１１の外周面はスプリング１２の弾性力を受けてガイドトップ８の下面に圧接されている。これによりローラブラケット１０の一方のロック爪１０ａがトップシャーシ７の孔部に係合すると共に、他方のロック爪１０ｂが筐体１の内底面の凹部に係合するため、ディスク搬送機構やドライブ機構等のメカニズム全体を搭載したドライブユニット２は筐体１に対して前方側が固定的に支持されたロック状態となっている。
【００２６】
また、かかるイジェクト状態において、トーションばね２４の他方のアーム部２４ｂが前傾姿勢のローラブラケット１０に当接して押し下げられているため、図４と図６（ｄ）に示すように、ローラブラケット１０の押圧力がトーションばね２４を介して連結レバー２０に伝達され、連結レバー２０は引張りコイルばね２３のばね力に抗して初期位置で停止している。このとき、連結レバー２０の先端側に設けられたピン２２は最下位置にあり、このピン２２が誤挿入防止レバー１７に形成されたカム孔１９の屈曲部分と係合しているため、誤挿入防止レバー１７はディスク挿入口５を開放する開放位置に保持されている。
【００２７】
図２に示す待機状態で任意のディスクＤをディスク挿入口５から筐体１の内部に挿入すると、該ディスクＤはローラブラケット１０の上方のディスク搬送空間を通ってローラ１１まで達し、この間にディスクＤの挿入によって図示せぬディスク検知手段が動作されるため、該ディスク検知手段からの信号に基づいて図示せぬモータが一方向へ回転し始める。その結果、このモータの駆動力によってローラ１１が一方向へ回転し始め、ローラ１１とガイドトップ８との間に挟持されたディスクＤが該ローラ１１の回転力によって筐体１の奥側へ自動搬送される。このようにしてディスクＤがプレイ位置の上方まで搬送されると、ディスクＤの縁部によって図示せぬ動力切換機構が動作され、この動力切換機構によって前記モータの駆動力がローラ１１から両スライド部材１６へ切り換えられるため、両スライド部材１６がモータを駆動源として駆動ベース９の後退位置から前進位置まで移動する。
【００２８】
そして、スライド部材１６が前進方向の末端位置まで移動する間に、伝達部材１３がスライド部材１６の前端部で押圧されて回動するため、前傾姿勢にあったローラブラケット１０がスプリング１２の弾性力に抗して図２の反時計方向に回動し、一方のロック爪１０ａとトップシャーシ７の係合および他方のロック爪１０ｂと筐体１の内底面の係合がそれぞれ解除され、ドライブユニット２はダンパー３やスプリング４によって筐体１に弾性的に支持されたアンロック状態（フローティング状態）となる。また、かかるローラブラケット１０の回動に伴ってローラ１１がディスクＤの下面から離れ、このタイミングでスライド部材１６の押上カム部１６ａがクランプアーム１４から離れるため、クランパ１５を支持するクランプアーム１４が図示せぬスプリングの弾性力により下方へ回動し、ディスクＤの中心部がクランパ１５とターンテーブル間にクランプされて図３に示すようにプレイ状態となる。このプレイ状態において、図示せぬスピンドルモータを駆動してターンテーブルとディスクＤおよびクランパ１５を一体的に回転駆動すると共に、光ピックアップをディスクＤの径方向へ移動することにより、ディスクＤに対する情報の再生動作等が行われる。
【００２９】
また、かかるローラブラケット１０の回動に伴ってトーションばね２４のアーム部２４ｂに対する押圧力が減じられていくと、図６（ｃ）から図６（ｂ）に示すように、連結レバー２０が引張りコイルばね２３のばね力によって同図の時計方向へ回転し始め、この連結レバー２０の回転に伴ってピン２２がカム孔１９に係合しながら上方へ移動するため、誤挿入防止レバー１７が第１軸１８を中心に同図の反時計方向に回動する。そして、ローラブラケット１０がトーションばね２４のアーム部２４ｂから離反する位置まで回動し、ローラブラケット１０の押圧力が連結レバー２０に伝達されなくなると、図６（ａ）に示すように、連結レバー２０は動作位置まで回動してピン２２が最上位置となり、それに伴って誤挿入防止レバー１７は閉鎖位置まで回動して停止する。したがって、図５に示すように、この状態で２枚目のディスクをディスク挿入口５の中央部から筐体１内に挿入しようとしても、このディスクはその先端部が誤挿入防止レバー１７の阻止部１７ａに当接することによって挿入阻止される。
【００３０】
また、任意のディスクＤのプレイ動作中に２枚目のディスクがディスク挿入口５の中央部に対して誤挿入防止レバー１７の回動支点（第１軸１８）側に偏った位置、すなわち阻止部１７ａの左側に位置するディスク挿入口５から無理に挿入されると、図６（ａ）に示すように、このディスクＤ１の外周縁が阻止部１７ａの一側縁に当接するため、誤挿入防止レバー１７を開放方向（同図の時計方向）へ回転しようとする回転モーメントＭが発生する。この回転モーメントＭによる外力はカム孔１９の内周面（同図の符号１９ａを付した部分）とピン２２との当接箇所で受け止められるため、連結レバー２０が動作位置で停止している限り誤挿入防止レバー１７の開放方向への回転は拘束され、このディスクＤ１をそれ以上挿入することはできなくなる。なお、２枚目のディスクＤ１が阻止部１７ａの右側に位置するディスク挿入口５から無理に挿入された場合は、誤挿入防止レバー１７を上記と逆方向（同図の反時計方向）へ回転しようとする回転モーメントが発生するが、この回転モーメントは誤挿入防止レバー１７の先端部がトップシャーシ７に当接することで受け止められるため、この場合もディスクをそれ以上挿入することができなくなる。
【００３１】
再生等が完了したディスクＤを排出（イジェクト）するときには、図示せぬイジェクト釦を投入して前記モータを他方向へ回転させることにより、上記と逆の動作が行われる。この場合、スライド部材１６が図３に示す前進位置から図２に示す後退位置まで移動する間に、下降位置にあるクランプアーム１４が上方へ回動してクランパ１５とターンテーブルとによるディスクＤのチャッキング動作が解除された後、ローラブラケット１０がスプリング１２の弾性力によって上方へ回動することにより、ディスクＤがガイドトップ８とローラ１１間に挟持される。また、ローラブラケット１０の両ロック爪１０ａ，１０ｂがトップシャーシ７と筐体１の内底面に係合することにより、ドライブユニット２は筐体１に対して前方側が固定的に支持されたロック状態となり、しかる後、ローラ１１の他方向への回転力によってディスクＤがプレイ位置からディスク挿入口５に向けて排出方向へ自動搬送される。
【００３２】
このようにプレイ状態からイジェクト状態に移行する際に、ローラブラケット１０が前傾姿勢に向かって回動することに伴って誤挿入防止機構６も上記と逆に動作する。この場合、まずローラブラケット１０は図６（ａ）に示す位置から所定区間だけ下降した後にトーションばね２４のアーム部２４ｂに当接し、この区間はローラブラケット１０から連結レバー２０に対して操作力が作用しない不感帯領域となっているため、連結レバー２０は引張りコイルばね２３のばね力によって動作位置に保持されたままであり、誤挿入防止レバー１７の拘束状態は維持されている。
【００３３】
ローラブラケット１０のさらなる回動によってトーションばね２４のアーム部２４ｂが押し下げられ、その押圧力がトーションばね２４を介して連結レバー２０に伝達されると、図６（ｂ）に示すように、連結レバー２０が引張りコイルばね２３のばね力に抗して同図の反時計方向へ回転し始める。連結レバー２０が図６（ａ）に示す位置から図６（ｂ）に示す位置まで回転するとき、ピン２２はカム孔１９の上方のスリット内を移動するだけであり、当該区間において連結レバー２０の回転は誤挿入防止レバー１７に伝達されないため、誤挿入防止レバー１７は回転せずに閉鎖位置で拘束状態を維持する。
【００３４】
連結レバー２０がさらに回転して図６（ｃ）に示す位置まで移動すると、ピン２２がカム孔１９の屈曲部分を越えて下方のスリットの内周面（同図の符号１９ｂを付した部分）を押圧するため、誤挿入防止レバー１７が閉鎖位置から同図の時計方向へ回転し始め、この時点で誤挿入防止レバー１７の開放方向への回転拘束が解除される。かかる誤挿入防止レバー１７の拘束解除動作は、誤挿入防止レバー１７の先端がディスクＤの搬送経路を越える位置まで回動した後に行われ、その後は、ローラブラケット１０のさらなる回動によって連結レバー２０が図６（ｄ）に示す初期位置まで回転すると、それに伴って誤挿入防止レバー１７は時計方向へ回転して開放位置まで移動する。
【００３５】
以上説明したように、本実施形態例に係るディスク装置では、２枚目のディスクの誤挿入を防止する誤挿入防止機構６が、筐体１の前面板１ａに回転可能に支持された誤挿入防止レバー１７と、前面板１ａに回転可能に支持されて誤挿入防止レバー１７を開放位置と閉鎖位置との間で回転駆動する連結レバー２０と、この連結レバー２０を初期位置と動作位置との間で回動操作するローラブラケット１０（駆動部材）とを備えており、誤挿入防止レバー６の回動支点である第１軸１８と連結レバー２０の回動支点である第２軸２１とがディスク挿入口５の中央部を挟んだ離反位置に設定されていると共に、連結レバー２０の先端側に設けたピン２２が誤挿入防止レバー１７に形成したカム孔１９に係合されているという構成になっている。そして、誤挿入防止レバー１７が閉鎖位置でディスク挿入口５の中央部を塞いだ状態にあるとき、２枚目のディスクがディスク挿入口５の中央部に対して誤挿入防止レバー１７の回動支点（第１軸１８）側に偏った位置から無理に挿入されると、誤挿入防止レバー１７を開放方向へ回転させようとする外力（回転モーメントＭ）がピン２２とカム孔１９の係合によって受け止められるため、誤挿入防止レバー１７を幅方向に大型化しなくても、誤挿入防止レバー１７の開放方向への回転を拘束して２枚目のディスクの誤挿入を確実に防止することができる。
【００３６】
また、連結レバー２０を引張りコイルばね２３（弾性部材）のばね力によって常に動作位置に向けて付勢するようにしているため、ローラブラケット１０から連結レバー２０に操作力が作用しない不感帯領域（動力伝達系の遊び）を設定しても、連結レバー２０を動作位置へ確実に回動して誤挿入防止レバー１７を閉鎖位置に保持することができる。
【００３７】
また、ローラブラケット１０と連結レバー２０との間にトーションばね２４（ばね部材）を介設し、このトーションばね２４を介してローラブラケット１０が連結レバー２０を引張りコイルばね２３と逆方向へ回動操作されるようにしたので、連結レバー２０はトーションばね２４からの弾発力を受けて初期位置にガタつきなく安定的に保持され、誤挿入防止レバー１７が開放位置に保持されたイジェクト状態において、連結レバー２０や誤挿入防止レバー１７のガタつきに起因するラットルノイズの発生を抑制することができる。
【００３８】
また、誤挿入防止レバー１７の回転拘束が解除される位置をディスク搬送経路よりも幾分下側に設定しているため、例えば、１枚目のディスクをプレイ位置に向けて自動搬送中に２枚目のディスクが誤挿入され、該ディスクの下面に誤挿入防止レバー１７の先端が当接したとしても、２枚目のディスクを押し下げてディスク挿入口５から抜き取ることができる。すなわち、誤挿入防止レバー１７が図６（ｄ）に示す開放位置から図６（ａ）に示す閉鎖位置に向かって回転するとき、誤挿入防止レバー１７が回転拘束されるのは図６（ｂ）に示す位置であり、その手前の図６（ｃ）に示す位置で誤挿入防止レバー１７はまだ回転拘束されていないため、この時点で誤挿入されたディスクには引張りコイルばね２３による持ち上げ方向のばね力しか作用しておらず、そのばね力に抗してディスクを押し下げることができる。
【００３９】
なお、上記実施形態例では、連結レバー２０に設けたピン２２を誤挿入防止レバー１７に形成したカム孔１９に係合させているが、これとは逆に、誤挿入防止レバーに設けたピンを連結レバーに形成したカム孔に係合させるようにしても良い。
【００４０】
また、上記実施形態例では、ローラブラケット１０と連結レバー２０との間にトーションばね２４を介設し、このトーションばね２４を介してローラブラケット１０の押圧力が連結レバー２０に伝達されるようになっているが、トーションばね以外のばね部材やばね性のない中継部材を介してローラブラケット１０の押圧力が連結レバー２０に伝達されるようにしても良く、あるいは、ローラブラケット１０の押圧力が連結レバー２０に直接伝達されるようにしても良い。
【符号の説明】
【００４１】
１  筐体
１ａ  前面板
２  ドライブユニット
５  ディスク挿入口
６  誤挿入防止機構
９  駆動ベース
１０  ローラブラケット（駆動部材）
１１  ローラ
１２  スプリング
１６  スライド部材
１７  誤挿入防止レバー
１７ａ  阻止部
１８  第１軸（回動支点）
１９  カム孔
２０  連結レバー
２０ａ  第１突部
２０ｂ  第２突部
２１  第２軸（回動支点）
２２  ピン
２３  引張りコイルばね（弾性部材）
２４  トーションばね２４（ばね部材）
２４ａ，２４ｂ  アーム部
【図１】
2016162471.tif 000003
【図２】
2016162471.tif 000004
【図３】
2016162471.tif 000005
【図４】
2016162471.tif 000006
【図５】
2016162471.tif 000007
【図６】
2016162471.tif 000008